(57)【要約】【課題】医用画像撮影装置と当該医用画像撮影装置を操作する端末を離して設置した場合であっても両者の接続をより確実に行うとともに、接続状態を確認することができる医用画像撮影システムを提供する。【解決手段】被検体の内部情報を撮影する医用画像撮影装置１と、通信ネットワークＮを介して医用画像撮影装置１に対して被検体の撮影処理を行うに必要な情報を送信するクライアント端末２と、医用画像撮影装置１とクライアント端末２との間における通信を仲介、制御するクラウドサーバ３と、を備え、医用画像撮影装置１は、クラウドサーバ３を介して受信したクライアント端末２からの接続要求を基に接続するクライアント端末２を選択、決定する。【選択図】図１
2015077208.tif 000002
【特許請求の範囲】
【請求項１】
被検体の内部情報を撮影する医用画像撮影装置と、
通信ネットワークを介して前記医用画像撮影装置に対して前記被検体の撮影処理を行うに必要な情報を送信するクライアント端末と、
前記医用画像撮影装置と前記クライアント端末との間における通信を仲介、制御するクラウドサーバと、を備え、
前記医用画像撮影装置は、前記クラウドサーバを介して受信した前記クライアント端末からの接続要求を基に接続する前記クライアント端末を選択、決定することを特徴とする医用画像撮影システム。
【請求項２】
前記クラウドサーバは、前記医用画像撮影装置が特定の前記クライアント端末と接続されている場合、その他の前記クライアント端末から前記医用画像撮影装置に対して送信された接続要求を拒絶し、前記医用画像撮影装置と前記特定のクライアント端末との接続を維持させることを特徴とする請求項１に記載の医用画像撮影システム。
【請求項３】
前記医用画像撮影装置及び前記クライアント端末は、互いの接続状況をそれぞれ備える表示部に表示させることを特徴とする請求項１または請求項２に記載の医用画像撮影システム。
【請求項４】
前記クライアント端末は、前記医用画像撮影装置に対して接続要求を送信する前に、前記クライアント端末の操作者が前記接続要求を要求する権限を備えているか否かを確認することを特徴とする請求項１ないし請求項３のいずれかに記載の医用画像撮影システム。
【請求項５】
前記医用画像撮影装置は、前記クライアント端末からの接続要求が複数存在する場合に、それらの接続要求をリスト化して表示させることを特徴とする請求項１ないし請求項４のいずれかに記載の医用画像撮影システム。
【請求項６】
前記医用画像撮影装置において撮影された前記被検体の内部情報を示す医用画像は、前記クラウドサーバに保存されることを特徴とする請求項１ないし請求項５のいずれかに記載の医用画像撮影システム。
【発明の詳細な説明】
【技術分野】
【０００１】
本発明の実施の形態は、医用画像撮影システムに関する。
【背景技術】
【０００２】
これまでの被検体を撮影する医用画像撮影装置は、一般的に撮影装置本体と当該撮影装置を操作する操作卓とは専用のケーブルで接続されている。そのため、当該ケーブルの長さの制限値を超えて撮影装置本体と操作卓とを離れた場所に設置することはできなかった。
【０００３】
一方このような制限を回避するべく、例えばネットワークを介して操作卓と被検体を撮影する装置とをつなぎ、遠隔操作により被検体の撮影を行う遠隔医療システムが提供されている（以下の特許文献１参照）。
【先行技術文献】
【特許文献】
【０００４】
【特許文献１】特開２００４−０８１２６４号公報
【発明の概要】
【発明が解決しようとする課題】
【０００５】
しかしながら、上述の特許文献１に示されている遠隔医療システムでは、以下のような不都合が生じる可能性が考えられる。
【０００６】
すなわち、もちろん技術的にネットワークを介せば操作卓と撮影装置本体とを離して遠隔地に設置することは可能である。但し、操作卓が接続の対象としている撮影装置本体と確実に接続されているかについての確認を確実に行うことができるかは不明である。特に操作卓が複数、撮影装置本体も複数設けられている場合に、誤った接続がなされる可能性は否定できない。
【０００７】
また、撮影装置が、例えばＸ線を利用する装置である場合には、被検体に対する被曝をできるだけ押さえるようにしなければならないが、遠隔操作を行う場合における医療行為のエビデンスを保証する仕組みを構築する必要がある。
【０００８】
本発明は上記課題を解決するためになされたものであり、本発明の目的は、医用画像撮影装置と当該医用画像撮影装置を操作する端末を離して設置した場合であっても両者の接続をより確実に行うとともに、接続状態を確認することができる医用画像撮影システムを提供することである。
【課題を解決するための手段】
【０００９】
請求項１に記載の発明の特徴は、医用画像撮影システムにおいて、被検体の内部情報を撮影する医用画像撮影装置と、通信ネットワークを介して医用画像撮影装置に対して被検体の撮影処理を行うに必要な情報を送信するクライアント端末と、医用画像撮影装置とクライアント端末との間における通信を仲介、制御するクラウドサーバと、を備え、医用画像撮影装置は、クラウドサーバを介して受信したクライアント端末からの接続要求を基に接続するクライアント端末を選択、決定する。
【図面の簡単な説明】
【００１０】
【図１】実施の形態における医用画像撮影システムの全体構成を示すブロック図である。
【図２】実施の形態に係る医用画像撮影システムを構成する医用画像撮影装置の内部構成を示すブロック図である。
【図３】実施の形態に係る医用画像撮影システムを構成するクライアント端末の内部構成を示すブロック図である。
【図４】実施の形態に係る医用画像撮影システムを構成するクラウドサーバの内部構成を示すブロック図である。
【図５】実施の形態におけるクラウドサーバを介してクライアント端末と医用画像撮影装置とが接続される流れを示すシーケンス図である。
【図６】実施の形態におけるクラウドサーバを介してクライアント端末と医用画像撮影装置とが接続される流れを示すシーケンス図である。
【図７】実施の形態におけるクラウドサーバを介してクライアント端末と医用画像撮影装置とが接続される流れを示すシーケンス図である。
【発明を実施するための形態】
【００１１】
以下、本発明の実施の形態について図面を参照して詳細に説明する。
【００１２】
図１は、実施の形態における医用画像撮影システムＳの全体構成を示すブロック図である。医用画像撮影システムＳは、医用画像撮影装置１と、クライアント端末２と、クラウドサーバ３とから構成されている。これらは、いずれも通信ネットワークＮに接続されており、医用画像や接続要求といった様々な情報をやり取りすることが可能とされている。また、医用画像撮影システムＳは、クラウドサーバ３、通信ネットワークＮを介して医用画像撮影装置１とクライアント端末２とを接続する構成を採用することから、医用画像撮影装置１はクライアント端末２から遠隔の場所に設置されることが可能とされている。
【００１３】
医用画像撮影装置１は、被検体内部の情報を収集し、この収集された情報に基づいて被検体内部を画像化して取得（撮影）する装置である。医用画像撮影装置１としては、例えば、Ｘ線撮影装置や、Ｘ線ＣＴ装置（computed tomography：コンピュータ断層撮影装置）、磁気共鳴診断装置（ＭＲＩ：magnetic resonance imaging）等が該当する。但し、ここではいずれかの装置を医用画像撮影装置１として特定することはせず、いずれの装置を採用しても良い。
【００１４】
図２は、実施の形態に係る医用画像撮影システムを構成する医用画像撮影装置１の内部構成を示すブロック図である。医用画像撮影装置１は、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力部１ｆと、表示部１ｇと、通信制御部１ｈと、記憶部１ｉと、リムーバブルディスク１ｊと、駆動部制御部１ｋとが接続されている。
【００１５】
駆動部制御部１ｋには、医用画像撮影装置１を構成する撮影部１ｌと各駆動部１ｍとが接続されている。駆動部制御部１ｋによって撮影部１ｌを含む、医用画像撮影装置１に設けられている各駆動部１ｍの駆動が制御される。なお、撮影部１ｌには、例えば、医用画像撮影装置１がＸ線画像診断装置である場合には、Ｘ線を照射するＸ線管や照射されたＸ線を検出するＸ線検出部等が含まれる。また、駆動部１ｍとしては、例えば、撮影部１ｌを保持するアームや寝台等、被検体を撮影する際に各部を駆動するアクチュエータ等が該当する。
【００１６】
ＣＰＵ１ａは、入力部１ｆからの入力信号に基づいてＲＯＭ１ｂから医用画像撮影装置１を起動するためのブートプログラムを読み出して実行し、記憶部１ｉに格納されている各種オペレーティングシステムを読み出す。またＣＰＵ１ａは、入力部１ｆや入出力インターフェイス１ｄを介して、図２において図示していない外部機器からの入力信号に基づいて各種装置の制御を行う。
【００１７】
さらにＣＰＵ１ａは、ＲＡＭ１ｃや記憶部１ｉ等に記憶されたプログラム及びデータを読み出してＲＡＭ１ｃにロードするとともに、ＲＡＭ１ｃから読み出されたプログラムのコマンドに基づいて、フィルタ処理、医用画像の生成等、一連の処理を実現する処理装置である。
【００１８】
入力部１ｆは、医用画像撮影装置１の操作者（医師や技師等の医療従事者）が各種の操作を入力するキーボード、ダイヤル等の入力デバイスにより構成されており、操作者の操作に基づいて入力信号を作成しバス１ｅを介してＣＰＵ１ａに送信される。また、医用画像撮影装置１には、キーボード等だけでなく専用の操作パネルが設けられている場合もあり、その場合には操作パネル上の入力デバイスを介して操作画面（後述する表示部）に対する操作を行うこともできる。
【００１９】
表示部１ｇは、例えば液晶ディスプレイであり、例えばＣＰＵ１ａからバス１ｅを介して出力信号を受信し、フィルタ処理のための情報入力や生成された医用画像、ＣＰＵ１ａの処理結果等を表示する手段である。また本発明の実施の形態における医用画像撮影装置１の場合、接続要求を送信してきたクライアント端末２に関する情報や当該表示部１ｇには、現在いずれのクライアント端末２と接続中であるかの情報等も表示される。
【００２０】
通信制御部１ｈは、ＬＡＮカードやモデム等の手段であり、医用画像撮影装置１をインターネットやＬＡＮ等の図示しない通信ネットワークに接続することを可能とする手段である。通信制御部１ｈを介して通信ネットワークと送受信したデータは入力信号または出力信号として、入出力インターフェイス１ｄ及びバス１ｅを介してＣＰＵ１ａに送受信される。
【００２１】
記憶部１ｉは、半導体や磁気ディスクで構成されており、ＣＰＵ１ａで実行される医用画像生成プログラムや周波数フィルタに関する情報が記憶されている。
【００２２】
リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００２３】
なお、図１においては、医用画像撮影装置１が２つ（医用画像撮影装置１Ａ及び医用画像撮影装置１Ｂ）通信ネットワークＮに接続されている状態が示されているが、通信ネットワークＮに接続される医用画像撮影装置１の数は、単数、或いは、複数のいずれであっても良い。
【００２４】
クライアント端末２は、後述するクラウドサーバ３、通信ネットワークＮを介して医用画像撮影装置１に対して、例えば撮影開始の指示を出す装置である。すなわち、操作者が遠隔値にある医用画像撮影装置１を操作するために用いる装置である。クライアント端末２としては、専用の操作パネルのほか、例えば、パーソナルコンピュータ、ワークステーション、或いは、ＰＤＡ（Personal Digital Assistant）やｉＰａｄ（登録商標）といった携帯が可能な装置を挙げることができ、いずれであっても良い。
【００２５】
図３は、実施の形態に係る医用画像撮影システムＳを構成するクライアント端末２の内部構成を示すブロック図である。クライアント端末２の内部構成は、図２で示した医用画像撮影装置１の内部構成と略同じである。異なるのは、クライアント端末２は、あくまでも医用画像撮影装置１と接続されて、医用画像撮影装置１を利用した撮影において必要な条件の設定やその結果を受領する装置であることから、医用画像撮影装置１に設けられている駆動部制御部１ｋ等を備えていない点である。その他の構成における各部の働きは上述した通りであることから、ここではその説明を省略する。
【００２６】
また、医用画像撮影システムＳがクラウドシステムを採用する場合、クライアント端末２が例えば、医用画像の加工等の処理を行うには次に説明するクラウドサーバ３内に保存されている医用画像、加工アプリケーション等を利用することになる。従ってこの場合には、クライアント端末２は少なくともこれらの処理を行うに必要な仕様を備えていれば足りる。
【００２７】
なお、図１においては、クライアント端末２は３つ（クライアント端末２Ａないしクライアント端末２Ｃ）通信ネットワークＮに接続されている状態が示されているが、通信ネットワークＮに接続されるクライアント端末２の数は、単数、或いは、複数のいずれであっても良い。
【００２８】
クラウドサーバ３は、通信ネットワークＮに接続され、医用画像撮影装置１とクライアント端末２との間で行われる通信を制御したり、或いは、医用画像撮影装置１において撮影された医用画像の保存を行ったりする。また、例えば、クライアント端末２が何らかの処理を行う際に利用するアプリケーション等が保存されていても良い。
【００２９】
図４は、実施の形態に係る医用画像撮影システムＳを構成するクラウドサーバ３の内部構成を示すブロック図である。クラウドサーバ３は、ＣＰＵ３ａと、ＲＯＭ３ｂと、ＲＡＭ３ｃと、入出力インターフェイス３ｄがバス３ｅを介して接続されている。入出力インターフェイス３ｄには、通信制御部３ｆと、判断部３ｇと、データベース３ｈとが接続されている。ＣＰＵ３ａ、ＲＯＭ３ｂ、及びＲＡＭ３ｃの働きは、医用画像撮影装置１の内部構成に関して述べた通りである。
【００３０】
通信制御部３ｆは、ＬＡＮカードやモデム等の手段であり、クラウドサーバ３をインターネットやＬＡＮ等の通信ネットワークＮに接続することを可能とする手段である。本発明の実施の形態においては、医用画像撮影装置１とクライアント端末２とは通信ネットワークＮを介しつつも、両者で直接情報のやり取りを行うことはなく、必ずクラウドサーバ３を介する。すなわち、クラウドサーバ３は通信ネットワークＮに接続される装置間における情報の仲介役としての役割を担っている。
【００３１】
判断部３ｇは、仲介役としてのクラウドサーバ３が通信ネットワークＮ上を行き来する情報の宛先を判断する。また、後述するように、既に特定のクライアント端末２との間で接続されている医用画像撮影装置１に対して別のクライアント端末２から接続要求が発信された場合に、当該接続要求につき発信元のクライアント端末２に対して接続拒否の判断を行う。
【００３２】
データベース３ｈは、例えば、医用画像撮影装置１において撮影された医用画像を保存しておくための装置である。データベース３ｈは、医用画像撮影装置１において撮影されて取得された被検体の内部情報を示す医用画像を通信制御部３ｆを介して受領し、記憶する。データベース３ｈは、半導体や磁気ディスクで構成されている。
【００３３】
なお、医用画像の他、例えばクラウドシステムを構成するクライアント端末２が何らかの処理を行う際に利用するアプリケーション等が保存されていても良い。
【００３４】
通信ネットワークＮは、医用画像撮影装置１、クライアント端末２及び、クラウドサーバ３をそれぞれつなぎ、例えば医用画像のやりとりを可能とする。通信ネットワークＮの例としては、ＬＡＮ（Local Area Network）やインターネット等のネットワークを挙げることができる。また、この通信ネットワークＮを介してやり取りされる情報に関する規格は、ＤＩＣＯＭ（Digital Imaging and Communication in Medicine）等、いずれの規格であっても良い。
【００３５】
医用画像撮影システムＳは、医用画像撮影装置１とクライアント端末２とが離れた場所に設置されていることを前提としている。但し、この「離れた場所」とは、これまで医用画像撮影装置１とクライアント端末２とがケーブルで接続されていた距離（ケーブルの長さ）よりも離れた場所、という意味である。そのため、物理的に両者が互いに遠隔地に設置されていることも考えられる。また、それほど離れておらず、例えば同じ医療機関内に両者が設置されている状態であっても良い。
【００３６】
医用画像撮影システムＳが例えば、同じ医療機関内に構築されている場合、医用画像撮影システムＳは、それ自体独立したシステムとして構成されても良いが、例えば、病院情報管理システム（ＨＩＳ：Hospital Information System）、放射線部門情報管理システム（ＲＩＳ：Radiological Information System）、医用画像管理システム（ＰＡＣＳ：Picture Archiving Communication System）といった医療機関内に構築された各種管理システムの全て、或いは、その一部を構成するようにされていても良い。
【００３７】
次にクライアント端末２と医用画像撮影装置１との接続、撮影処理の流れについて、図５ないし図７を用いて説明する。図５ないし図７は、実施の形態におけるクラウドサーバを介してクライアント端末と医用画像撮影装置とが接続される流れを示すシーケンス図である。
【００３８】
まず、クライアント端末２の操作者、すなわち、医用画像撮影装置１を利用する者の権限を確認する（ＳＴ１）。医用画像撮影装置１は、被検体を撮影して医用画像を取得する装置であるが、撮影に当たってはＸ線等が使用されるため、誰もが医用画像撮影装置１の操作を行えるわけではない。またここでは、医用画像撮影装置１の操作をクライアント端末２を介して行うことから、クライアント端末２を操作する者が医用画像撮影装置１の操作者に該当する。そこで、クライアント端末２を操作する者の権限を確認することで、医用画像撮影装置１の操作権限を確認する。
【００３９】
権限の有無は、クライアント端末２の入力部２ｆを介して入力される、例えば、専用操作パネル固有の情報や、操作者を一義的に特定することのできるＩＤや名前等をクライアント端末２において確認することで権限の有無を判断する（ＳＴ２）。なお、ここで操作者の権限を確認する方法については、上述したような方法を例に挙げて説明したが、いずれの方法を採用しても良い。
【００４０】
その結果、権限がない者による医用画像撮影装置１の利用が行われようとしている場合には（ＳＴ２のＮＯ）、このまま医用画像撮影装置１への接続が認められることなく処理が終了する。
【００４１】
一方、権限が認められた場合には（ＳＴ２のＹＥＳ）、操作者は当該クライアント端末２から操作を行おうとする医用画像撮影装置１の選択を行う。図１に示す医用画像撮影システムＳにおいては、２つの医用画像撮影装置１が通信ネットワークＮに接続されていることから、いずれの医用画像撮影装置１を使用するのか、操作者によって選択される。
【００４２】
なお、操作者による医用画像撮影装置１の選択に当たっては、クライアント端末２の表示部２ｇに接続可能な医用画像撮影装置１が、例えば、リスト状にまとめられて表示される。但し、リスト化して表示するか否か、例えば、リスト化して表示される場合にどのような情報を当該リストに載せるか等については、自由に設定することができる。
【００４３】
操作者が操作しているクライアント端末２との間で接続を希望する医用画像撮影装置１を選択すると、クライアント端末２では、いずれの医用画像撮影装置１が選択されたか、その選択対象を示す信号を受領する（ＳＴ３）。そして選択された医用画像撮影装置１に対して接続要求を送信する（ＳＴ４）。
【００４４】
本発明の実施の形態においては、クライアント端末２から直接選択された医用画像撮影装置１に対して接続要求を送信するのではなく、一旦クラウドサーバ３に対して送信する。これは、クラウドサーバ３において各クライアント端末２から各医用画像撮影装置１に対して送信される接続要求を一旦受信して、いわば交通整理を行うためである。そのため、クライアント端末２から医用画像撮影装置１に対して送信された接続要求は、クラウドサーバ３が受信し（ＳＴ５）、判断部３ｇにおいて接続要求の送信先となる医用画像撮影装置１を見極めた上で、対象となる医用画像撮影装置１に対して接続要求を送信する（ＳＴ６）。
【００４５】
医用画像撮影装置１では、クラウドサーバ３から送信されたクライアント端末２からの接続要求を受信する（ＳＴ７）。医用画像撮影装置１は、接続要求を受信したら、まず当該接続要求を受信した際に自身（医用画像撮影装置１）が他のクライアント端末２からの接続要求に応じてそのクライアント端末２との間で接続されているか否かを確認する（図６のＳＴ８）。
【００４６】
クライアント端末２と医用画像撮影装置１とは、１対１で接続されることが前提であり、１つの医用画像撮影装置１に対してクライアント端末２が複数接続される状態は考えられない。もし１つの医用画像撮影装置１に対してクライアント端末２が複数接続されると、その医用画像撮影装置１に対して複数のクライアント端末２からの指示（要求）が送信された場合に対応することができなくなってしまうからである。
【００４７】
また、１つの医用画像撮影装置１に対してクライアント端末２が複数接続される状態では、例えば、１つのクライアント端末２によって設定された撮影条件等を他のクライアント端末２が変更することが可能となってしまうことも考えられ、適切な撮影処理を実行することができなくなってしまう。
【００４８】
そこで、医用画像撮影装置１としては、１つのクライアント端末２との接続を確保するべく、接続要求を受信した時点で他のクライアント端末２との間で接続状態にないことを確認する（ＳＴ９）。その結果、現在他のクライアント端末２と接続状態にある場合は（ＳＴ９のＹＥＳ）、接続が認められないことを通知するべく、接続不可の回答を作成し送信する（ＳＴ１０）。
【００４９】
この場合もクラウドサーバ３を介することから、医用画像撮影装置１は当該回答を一旦クラウドサーバ３へと送信し、クラウドサーバ３が当該回答を受信、送信することで（ＳＴ１１）、対象となるクライアント端末２に対して当該回答を送信する。接続要求を送信したものの、対象となる医用画像撮影装置１が既に他のクライアント端末２と接続状態にある場合には、クライアント端末２は、選択した医用画像撮影装置１から接続不可の回答を受信する（ＳＴ１２）。このような処理を行うことで、医用画像撮影装置１とクライアント端末２との間において１対１の接続状態を維持することができる。
【００５０】
なお、接続不可の回答を受信したクライアント端末２においても、クラウドサーバ３が接続要求を預り、他の端末との接続が正常に終了した段階で、優先順位に基づき接続可能となったことを通知することもできるほか、その後に折を見て再度当該医用画像撮影装置１に対して接続要求を送信することは当然可能である。
【００５１】
一方、クライアント端末２からの接続要求を受信した時点で他のクライアント端末２と接続状態にない場合には（ＳＴ９のＮＯ）、接続要求を承認し、その旨接続要求を送信したクライアント端末２に対して回答する（ＳＴ１３）。
【００５２】
この場合も接続不可の回答と同様、クラウドサーバ３を介することから、医用画像撮影装置１は当該接続要求承認の回答を一旦クラウドサーバ３へと送信し、クラウドサーバ３が当該回答を受信、送信することで（ＳＴ１４）、対象となるクライアント端末２に対して接続要求承認の回答を送信する。接続要求を送信した結果、当該要求が承認されたクライアント端末２は、選択した医用画像撮影装置１から接続要求承認の回答を受信する（ＳＴ１５）。以上の処理をもって、クライアント端末２は所望の医用画像撮影装置１との間で接続を行うことができる。
【００５３】
また、この場合にたとえその他のクライアント端末２からの接続要求が当該医用画像撮影装置１に対して送信されていても、接続要求承認の回答を受けたクライアント端末２のみが当該医用画像撮影装置１と接続することができる。従って、上述したような１つの医用画像撮影装置１に対して複数のクライアント端末２が接続される状態は排除され、１対１の関係が確保される。
【００５４】
なお、ここでは接続要求を送信したクライアント端末２が１つの場合を例に挙げて説明をした。但し、同じタイミングで医用画像撮影装置１において複数のクライアント端末２からの接続要求を受信することも考えられる。このような場合には、複数の接続要求を受信した医用画像撮影装置１において、例えば、受信した接続要求をリスト化して表示部１ｇに表示させることも可能である。その上で、医用画像撮影装置１の近傍に待機している医療従事者が接続先となるクライアント端末２を選択する。医療従事者によってリスト化された接続要求を送信してきた複数のクライアント端末２の中から１つのクライアント端末２が選択された場合には、当該選択を示す信号を受領し、選択されたクライアント端末２に対して接続要求を承認した旨の回答を送信する。選択されなかったクライアント端末２に対しては、例えば、接続不可の回答を送信する。
【００５５】
以上で医用画像撮影装置１とクライアント端末２との接続処理が完了する。医用画像撮影装置１とクライアント端末２とは、１対１の接続状態を維持する必要があることから、この接続状態が継続している限り、当該医用画像撮影装置１に対して接続中のクライアント端末２以外のクライアント端末２からの接続要求が出されても承認されない。
【００５６】
具体的には、上述したように、医用画像撮影装置１とクライアント端末２との間での情報のやり取りはクラウドサーバ３を介して行われる。そこで、医用画像撮影装置１に対して特定のクライアント端末２が接続状態にある場合に、クラウドサーバ３が他のクライアント端末２からの接続要求を受信した場合には、判断部３ｇにおいて受信した接続要求が対象となる医用画像撮影装置１との間で接続可能であるか否かを確認の上、当該接続要求を排除する（ＳＴ１６）。クラウドサーバ３においてこのような処理を行うことによって、接続中の医用画像撮影装置１とクライアント端末２との接続状態が維持される。
【００５７】
また、接続状態にある医用画像撮影装置１とクライアント端末２とは、互いの接続状態をリアルタイムで他方の装置に対して送信する。すなわち、医用画像撮影装置１はクライアント端末２に対して当該クライアント端末２との間で接続状態にある旨、送信する（ＳＴ１７）。一方、クライアント端末２は医用画像撮影装置１に対して当該医用画像撮影装置１との間で接続状態にある旨、送信する（ＳＴ１８）。互いの装置間においてこのような表示を逐次行うことによって、操作者は両者の間で１対１の接続状態が確保されていることをリアルタイムに確認することができる。
【００５８】
医用画像撮影装置１が撮影を行う場合、クライアント端末２は、接続状態にある医用画像撮影装置１に対して撮影条件等を送信し、撮影処理を通信ネットワークＮを介して遠隔地から実行する。医用画像撮影装置１では、クライアント端末２からの指示に基づき撮影処理を行うとともに、撮影された医用画像をクラウドサーバ３へと送信する（ＳＴ１９）。クラウドサーバ３では医用画像撮影装置１から送信された医用画像を受信するとともに、データベース３ｈに保存する（ＳＴ２０）。
【００５９】
以上説明した流れで処理を行うことで、医用画像撮影装置と当該医用画像撮影装置を操作する端末を離して設置した場合であっても両者の接続を確実に行うとともに、接続状態を確認することができる医用画像撮影システムを提供することができる。
【００６０】
すなわち、医用画像撮影装置とクライアント端末とを通信ネットワーク及びクラウドサーバとを介して接続することで、医用画像撮影装置をクライアント端末から離して遠隔地に設置することができる。
【００６１】
一方で、通信ネットワークを介して離れたところから医用画像撮影装置に対してクライアント端末から撮影指示等を出すに当たっては、どうしても対象の医用画像撮影装置に対して確実に撮影指示等が伝わっているか、すなわち対象の医用画像撮影装置と確実な接続状態が維持され誤接続がないか、或いは、遠隔操作を行うからこそ医療行為のエビデンスを保証する仕組みを構築する必要がある。
【００６２】
本発明の実施の形態において説明したように、クライアント端末から医用画像撮影装置に対して接続要求を行う際に、クライアント端末と医用画像撮影装置の両者で接続の可否を判断する。併せて、両者で接続状況を逐次表示させることにより、誤接続が発生することを回避することができる。
【００６３】
また、医用画像撮影装置とクライアント端末とをクラウドサーバを仲介させて接続し、クラウドサーバにて接続要求の宛先を確認させている。そのため、たとえ特定のクライアント端末からの接続要求が対象となる医用画像撮影装置によって承認された場合に他のクライアント端末からの接続要求がなされても当該接続要求を拒絶することで、１つの医用画像撮影装置に対して複数のクライアント端末が接続されることを防止する。これにより、医用画像撮影装置とクライアント端末と１対１で接続することを確保することができ、結果として医療行為のエビデンスを保証する仕組みを提供することができる。
【００６４】
また、単に通信ネットワーク上に医用画像撮影装置とクライアント端末が接続されているだけだとすると、例えば通信遮断等、通信ネットワーク上において障害が発生した場合、医用画像撮影装置が撮影した医用画像が消失してしまう可能性がある。例えば、撮影された医用画像が医用画像撮影装置内に保存されている場合、クライアント端末からの指示に従って当該医用画像撮影装置から対象となる医用画像をクライアント端末へ送信することになる。このような場合に、医用画像撮影装置とクライアント端末とをつなぐ通信ネットワークに通信障害が発生すると、必要な医用画像を取得することができない。また、通信中に障害が発生すると、送信中の医用画像が消失することもありうる。
【００６５】
しかしながら、本発明の実施の形態の通り、医用画像撮影装置において撮影された医用画像は直接クラウドサーバに保存される。従って、医用画像撮影装置からクラウドサーバに医用画像が保存されてしまえば、例えばクラウドサーバとクライアント端末とが無線で接続されている等、両者の間でたとえ通信障害が生じた場合であっても、クラウドサーバ内に医用画像が保存されているので、消失することはない。そのため、通信障害が発生して医用画像を取得することができないクライアント端末が生じても、このクライアント端末から別のクライアント端末に乗り換えることで医用画像の取得等、作業の続行ができる。従って、意図しない通信障害による医用画像の消失を回避することができる。
【００６６】
以上の効果を奏することから、遠隔診療が実用的に利用することができるようになる。従って例えば、医用画像撮影装置が離島や僻地に設けられており、クライアント端末が遠隔地（例えば、都市部）に設けられていれば、より多くの患者が診療を受診することができるようになる。また、医用画像撮影装置が設置されている国とクライアント端末が設けられている国とを分けることで、海外の医師等による診療を受診することもできるようになる。このような診療が可能となれば、より迅速な診療を受けることもできると考えられる。
【００６７】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００６８】
１    医用画像撮影装置
２    クライアント端末
３    クラウドサーバ
Ｎ    通信ネットワーク
Ｓ    医用画像撮影システム
【図１】
2015077208.tif 000003
【図２】
2015077208.tif 000004
【図３】
2015077208.tif 000005
【図４】
2015077208.tif 000006
【図５】
2015077208.tif 000007
【図６】
2015077208.tif 000008
【図７】
2015077208.tif 000009